(57)【要約】【課題】  棒状材容器において、棒状材の耐折れ強度を向上すること。【解決手段】  外筒１１と、外筒１１の内周に摺接する中皿１３と、中皿１３及び外筒１１の内部に充填形成されて中皿１３に接合される棒状材２０とを有し、中皿１３を外筒１１に対し昇降させることにより、中皿１３に接合されている棒状材２０を外筒１１の出入口１１Ｄより出し入れする棒状材容器１０であって、中皿１３の内部の底部１３Ａから開口部３１までの内周面３２を該開口部３１に向けて拡開するテーパ面３３とし、このテーパ面３３の中途部に凸状リブ３４を設けたもの。【選択図】  図２
2010017252.tif 000002
【特許請求の範囲】
【請求項１】
外筒と、外筒の内周に摺接する中皿と、中皿及び外筒の内部に充填形成されて中皿に接合される棒状材とを有し、
中皿を外筒に対し昇降させることにより、中皿に接合されている棒状材を外筒の出入口より出し入れする棒状材容器であって、
中皿の内部の底部から開口部までの内周面を該開口部に向けて拡開するテーパ面とし、このテーパ面の中途部に凸状リブを設けた棒状材容器。
【請求項２】
前記中皿のテーパ面が、底部側の急勾配の第１テーパ面と、開口部側の緩勾配の第２テーパ面とからなる２段テーパ面をなし、第１と第２のテーパ面の境界部に前記凸状リブを設けた請求項１に記載の棒状材容器。
【請求項３】
前記中皿のテーパ面に設けた凸状リブが該中皿の周方向に連続する環状をなす請求項１又は２に記載の棒状材容器。
【請求項４】
前記中皿のテーパ面に設けた凸状リブが該中皿の中心軸を含む断面視で概ね半円状をなす請求項１〜３のいずれかに記載の棒状材容器。
【発明の詳細な説明】
【技術分野】
【０００１】
本発明は口紅、リップスティック等の棒状化粧料、スティック糊等の棒状材容器に関する。
【背景技術】
【０００２】
棒状材容器として、特許文献１に記載の如く、外筒と、外筒の内周に摺接する中皿と、中皿及び外筒の内部に充填形成されて中皿に接合される棒状材とを有し、中皿を外筒に対し昇降させることにより、中皿に接合されている棒状材を外筒の出入口より出し入れするものがある。
【０００３】
図３は、従来の棒状材容器の外筒１、中皿２、棒状材３を示すものである。中皿２は、棒状材３の基端部が充填されて接合される皿内部の底部２Ａから開口端面２Ｂまでの内周面２Ｃをストレート面とし、この内周面２Ｃの開口端面２Ｂに交差する上端部に凸状リブＲを設けている。棒状材３の接合部３Ａは中皿２の内周面２Ｃに充填されてストレート状をなすとともに、中皿２の開口端面２Ｂに交差する上端部で凸状リブＲに食い込まれて中皿２に抜け止め状態で接合される。棒状材３の接合部３Ａから上方に延びる棒状部３Ｂは外筒１の内径（中皿２の外径と概ね同一径）に沿うストレート状をなす。
【特許文献１】実開平6-11613
【発明の開示】
【発明が解決しようとする課題】
【０００４】
従来の棒状材容器では、棒状材３の接合部３Ａが充填される中皿２の内周面２Ｃがストレート面をなしてその開口端面２Ｂと概ね直角に交差している。中皿２の内周面２Ｃと開口端面２Ｂのそれぞれに接して成形される棒状材３の接合部３Ａと棒状部３Ｂの端面３Ｃとが概ね直角に交差し、棒状部３の断面積がこの直角交差部で急変し、応力集中を生じ易い。また、棒状材３の接合部３Ａと棒状部３Ｂの端面３Ｃの上述の断面積が急変する直角交差部に、中皿２の凸状リブＲに食い込む凹部Ｋが付加され、一層応力集中を生じ易い。
【０００５】
このため、従来の棒状材容器では、棒状材３の接合部３Ａの外周面と棒状部３Ｂの端面３Ｃの直角交差部に応力集中を生じ易い結果、製品の輸送時や使用時の落下等に伴なう衝撃の作用により、棒状材３がその応力集中部（接合部３Ａと棒状部３Ｂの端面３Ｃの交差部）で折れることがある。
【０００６】
本発明の課題は、棒状材容器において、棒状材の耐折れ強度を向上することにある。
【課題を解決するための手段】
【０００７】
請求項１の発明は、外筒と、外筒の内周に摺接する中皿と、中皿及び外筒の内部に充填形成されて中皿に接合される棒状材とを有し、中皿を外筒に対し昇降させることにより、中皿に接合されている棒状材を外筒の出入口より出し入れする棒状材容器であって、中皿の内部の底部から開口部までの内周面を該開口部に向けて拡開するテーパ面とし、このテーパ面の中途部に凸状リブを設けたものである。
【発明を実施するための最良の形態】
【０００８】
図１に示す棒状材容器１０は、口紅、リップスティック等の棒状化粧料、スティック糊等の棒状材容器として用いられる。棒状材容器１０は、外筒１１、操作部１２、中皿１３、キャップ１４を有する。外筒１１は有底長円筒状をなす底部１１Ａと筒部１１Ｂを備え、外筒１１の底部１１Ａに操作部１２を回転可能に取着してある。操作部１２は外筒１１の底部１１Ａの外面に当たる短円筒状グリップ部１２Ａと、グリップ部１２Ａの中心に設けられて外筒１１の底部１１Ａを貫通して外筒１１の中心軸上に挿入されるねじ軸１２Ｂと、ねじ軸１２Ｂに設けられてグリップ部１２Ａとともに外筒１１の底部１１Ａを内外から挟むフランジ部１２Ｃとを備える。中皿１３は有底短円筒状をなす底部１３Ａと筒部１３Ｂを備え、底部１３Ａの中心部に設けたねじ孔に操作部１２のねじ軸１２Ｂを螺着して貫通させるとともに、筒部１３Ｂを外筒１１の筒部１１Ｂの内周に摺接するように挿入し、筒部１３Ｂの外周の軸方向に設けたキー溝１３Ｃを外筒１１の筒部１１Ｂの内周の軸方向に設けたガイドキー１１Ｃに係入させる。キャップ１４は外筒１１の筒部１１Ｂの開口端に脱着され、その出入口１１Ｄを封止可能にする。
【０００９】
棒状材容器１０は、口紅、リップスティック、スティック糊等の棒状材２０となる溶融材料を充填して冷却固化し、棒状材２０を形成する。棒状材２０は、中皿１３の内部に接合される接合部２１と、中皿１３の内部から外筒１１の筒部１１Ｂ内を上方に延びる棒状部２２とからなるものとされる。
【００１０】
従って、棒状材容器１０にあっては、外筒１１からキャップ１４を外し、操作部１２のグリップ部１２Ａを用いて操作部１２を外筒１１に対し回転操作すると、操作部１２のねじ軸１２Ｂに螺着されている中皿１３が外筒１１のガイドキー１１Ｃにガイドされ、外筒１１の筒部１１Ｂの内周に摺接して昇降する。これにより、中皿１３に接合されている棒状材２０の先端部が外筒１１の出入口１１Ｄより出し入れされ、使用に供される。
【００１１】
しかるに、棒状材容器１０は、棒状材２０の耐折れ強度の向上を図るため、以下の構成を具備する。
【００１２】
棒状材容器１０は、図２に示す如く、中皿１３の内部の底部１３Ａから筒部１３Ｂの開口端面３１までの内周面３２を、該開口端面３１に向けて拡開するテーパ面３３とし、このテーパ面３３の軸方向に沿う長さの中途部、本実施例ではテーパ面３３の軸方向に沿う長さの概ね1／2部位に凸状リブ３４を設けた。
【００１３】
中皿１３のテーパ面３３は、底部１３Ａの側の急勾配の第１テーパ面３３Ａと、開口端面３１の側の緩勾配の第２テーパ面３３Ｂとからなる２段テーパ面をなし、第１と第２のテーパ面３３Ａ、３３Ｂの境界部に凸状リブ３４を設けた。
【００１４】
中皿１３のテーパ面３３に設けた凸状リブ３４は、中皿１３の周方向に連続する環状をなす。但し、凸状リブ３４は、中皿１３の周方向に不連続になる間欠状をなすものでも良い。
【００１５】
中皿１３のテーパ面３３に設けた凸状リブ３４は、中皿１３の中心軸を含む断面視（図２（Ａ））で、丸味状凸部をなし、本実施例では概ね半円状の凸部をなす。
【００１６】
これにより、棒状材２０の接合部２１は、中皿１３の筒部１３Ｂの内周面３２のテーパ面３３（第１と第２のテーパ面３３Ａ、３３Ｂ）に充填されて密着するテーパ状外周面を備え、第１と第２のテーパ面３３Ａ、３３Ｂは対応する第１と第２のテーパ状外周面２１Ａ、２１Ｂの境界部で中皿１３の凸状リブ３４に食い込む凹部２１Ｃを形成され、中皿１３に抜け止め状態で接合される。また、棒状材２０の接合部２１に続く棒状部２２は、中皿１３の開口端面３１から上方に延び、外筒１１の筒部１１Ｂの内径（中皿１３の外径と概ね同一径）に沿うストレート状をなす。
【００１７】
本実施例の棒状材容器１０によれば以下の作用効果を奏する。
（請求項１）
(a)棒状材２０の接合部２１が充填される中皿１３の内周面３２がテーパ面３３をなしてその開口端面３１と鈍角を介して交差する。中皿１３の内周面３２と開口端面３１のそれぞれに接して成形される棒状材２０の接合部２１の外周面２１Ｂと棒状部２２の端面２２Ａとが鈍角で交差し、棒状材２０の断面積のこの鈍角交差部での変化を緩和し、応力集中を緩和し、棒状材２０を折れにくくする。また、中皿１３のテーパ面３３の中途部に凸状リブ３４を設けたから、中皿１３の凸状リブ３４に食い込む棒状材２０の凹部２１Ｃは、接合部２１の断面積が急変することのないテーパ状外周面２１Ａ、２１Ｂの中途部に付加されるものになり、応力集中を生じ難い。しかも、この棒状材２０の凹部２１Ｃは、棒状材２０の接合部２１と棒状部２２の端面２２Ａの上述の鈍角交差部から離隔しており、その交差部に応力集中を及ぼすものにならない。
【００１８】
（請求項２）
(b)中皿１３のテーパ面３３が、底部１３Ａ側の急勾配の第１テーパ面３３Ａと、開口端面３１側の緩勾配の第２テーパ面３３Ｂとからなる２段テーパ面をなし、第１と第２のテーパ面３３Ａ、３３Ｂの境界部に凸状リブ３４を設けた。底部１３Ａ側の急勾配の第１テーパ面３３Ａは棒状材２０の接合部２１に密着して棒状材２０を確実に抜け止めする。開口端面３１側の緩勾配の第２テーパ面３３Ｂは、棒状材２０の接合部２１と棒状部２２の端面２２Ａとの鈍角交差部で、接合部２１の最大径を大きくするとともに、その鈍角を大きくして応力集中を確実に緩和し、棒状材２０を折れにくくする。
【００１９】
（請求項３）
(c)中皿１３のテーパ面３３に設けた凸状リブ３４が中皿１３の周方向に連続する環状をなす。棒状材２０の接合部２１を環状の凸状リブ３４に食い込ませ、中皿１３に安定的に抜け止めできる。
【００２０】
（請求項４）
(d)中皿１３のテーパ面３３に設けた凸状リブ３４が中皿１３の中心軸を含む断面視で概ね半円状をなす。中皿１３の凸状リブ３４をテーパ面３３の中途部に滑らかに立上げ、この凸状リブ３４に食い込む棒状材２０の凹部２１Ｃも棒状材２０のテーパ状外周面２１Ａ、２１Ｂの中途部に滑らかに付加されるものになり、応力集中を確実に生じ難くする。
【図面の簡単な説明】
【００２１】
【図１】図１は棒状材容器を示す模式断面図である。
【図２】図２は中皿を示し、（Ａ）は断面図、（Ｂ）は平面図である。
【図３】図３は従来例の中皿を示し、（Ａ）は断面図、（Ｂ）は平面図である。
【符号の説明】
【００２２】
１０  棒状材容器
１１  外筒
１１Ａ  底部
１１Ｂ  筒部
１１Ｄ  出入口
１３  中皿
１３Ａ  底部
１３Ｂ  筒部
２０  棒状材
２１  接合部
２２  棒状部
３１  開口端面
３２  内周面
３３  テーパ面
３３Ａ  第１テーパ面
３３Ｂ  第２テーパ面
３４  凸状リブ
【図１】
2010017252.tif 000003
【図２】
2010017252.tif 000004
【図３】
2010017252.tif 000005